(57)【要約】      （修正有）【課題】コイン収集筒を異なる回転構造受けに分散し、操作上に省力であり、且つ各回転構造の受ける力を分散することができ、圧力による損壊及び変形の発生を低減するコイン分配保存装置を提供する。【解決手段】コイン分配保存装置であって、コイン分流本体１０と、複数のコイン収集筒２０と、左回転構造３０と、軸回転折畳板４０と、右回転構造５０とからなり、該コイン収集筒は、それぞれ前記コインを収容させることに用いる。該左回転構造は、該コイン分流本体の一側に軸回転可能に設けられ、該左回転構造は、該コイン収集筒中の一部分を置かせる。該軸回転折畳板は、該コイン分流本体の他側に軸回転可能に設けられる。該右回転構造は、該軸回転折畳板に接続し、該右回転構造は、該コイン収集筒中のその他の部分を置かせる。そのうち、該左回転構造と該右回転構造は、該コイン分流本体内部に軸回転可能に収納されるか、該コイン分流本体外部に回転して出ることができる。【選択図】図１０
0003154913.tif 000002
【実用新案登録請求の範囲】
【請求項１】
コイン分流本体と、
前記コインを収容させることに用いる複数のコイン収集筒と、
該コイン分流本体の一側に軸回転可能に接続し、該コイン収集筒中の一部に置かせる左回転構造と、
該コイン分流本体の他側に軸回転可能に接続する軸回転折畳板と、
該軸回転折畳板に接続し、該コイン収集筒中の残りの部分を置かせる右回転構造と、
を含み、そのうち、該左回転構造及び該右回転構造は、該コイン分流本体内部に軸回転可能に収納されるか、回転して該コイン分流本体外部に出ることができるコイン分流保存装置。
【請求項２】
前記コイン分流本体が外枠及び該外枠内に実装されるコイン分配器を含む請求項１記載のコイン分配保存装置。
【請求項３】
前記外枠内壁にそれぞれ第１軸ソケットを設け、第１回転軸を接続し、該左回転構造は、該第１軸ソケットに貫通接続する第２回転軸を有し、該軸回転折畳板は、該第１回転軸を軸回転可能に接続する第２軸ソケットを有する請求項２記載のコイン分配保存装置。
【請求項４】
前記軸回転折畳板が第３回転軸を有し、該右回転構造に該第３回転軸を軸回転可能に接続する第３軸ソケットを有し、該右回転構造を該コイン分配器内部に収納させることができる請求項３記載のコイン分配保存装置。
【請求項５】
前記外枠に定位嵌合溝を開設し、該左回転構造は、該定位嵌合溝と相互に嵌合する定位柱を成型する請求項２記載のコイン分配保存装置。
【請求項６】
前記左回転構造は、該コイン収集筒の外側にコイン返却溝路を設ける請求項１記載のコイン分配保存装置。
【請求項７】
更に、押し上げ取り出し機構を含み、該コイン分流本体底部に実装され、且つ該左回転構造に対応して配置され、該左回転構造を押し上げた後、旋出する動作を行う請求項１記載のコイン分配保存装置。
【請求項８】
前記左回転構造は、第１係止ロッドを有し、該押し上げ取り出し機構は、レバーと、該コイン分流本体に軸回転可能に接続し、且つ該レバーに固定される軸桿と、該軸桿に固定接続し、且つ該第１係止ロッドに対応して押し上げる前上昇凸輪と、該軸桿外部に套接し、且つ該レバー及び該コイン分流本体に弾性的に係止接続するねじりばね請求項７記載のコイン分配保存装置。
【請求項９】
更に、該コイン分流本体底部に実装され、且つ該左回転構造及び該軸回転折畳板に対応して配置され、該左回転構造及び該回転軸折畳板を押し上げた後、旋出の動作を行うことに用いる押し上げ取り出し機構を含む請求項１記載のコイン分配保存装置。
【請求項１０】
該左回転構造は、第１係止ロッドを有し、該軸回転折畳板を有し、該押し上げ取り出し機構は、レバーと、該コイン分流本体に軸回転可能に接続し、且つ該レバーに固定される軸桿と、該軸桿に固定接続され、且つ該第１係止ロッドに対応して押し上げを行う前上昇凸輪と、該軸桿外部に套接され、且つ該レバー及び該コイン分流本体に弾性係止接続するねじりばねと、該前上昇凸輪に軸回転可能に接続され、且つ該コイン分流本体に導引移動される連動アームと、該コイン分流本体及び該連動アームにそれぞれ軸回転可能に接続され、且つ該第２係止ロッドに対応して押し上がる後上昇凸輪と、含む請求項９記載のコイン分配保存装置。
【請求項１１】
前記コイン分流本体は、外枠を含み、該外枠の該連動アームに対応する位置にガイド溝を開設し、該連動アームが該ガイド溝内部で滑動移動できる凸軸を接続する請求項１０記載のコイン分配保存装置。
【請求項１２】
前記外枠の該ガイド溝中に弾性片を形成し、該弾性片は、該ガイド溝内に係止凸点を凸伸し、該凸軸の移動を停止させる障害とする請求項１１記載のコイン分配保存装置。
【請求項１３】
コイン分流本体と、
前記コインを収容させることに用いる複数のコイン収集筒と、
該コイン分流本体の一側に軸回転可能に接続し、該コイン収集筒中の一部に置かせる左回転構造と、
該コイン分流本体の一側に軸回転可能に接続し、該コイン収集筒中の残りの部分を置かせる右回転構造と、
を含み、そのうち、該左回転構造及び該右回転構造は、該コイン分流本体内部に軸回転可能に収納されるか、回転して該コイン分流本体外部に出ることができるコイン分流保存装置。
【請求項１４】
前記コイン分流本体が外枠及び該外枠内に実装されるコイン分配器を含む請求項１３記載のコイン分配保存装置。
【請求項１５】
前記外枠内壁にそれぞれ第１軸ソケットを設け、第１回転軸を接続し、該左回転構造は、該第１軸ソケットに貫通接続する第２回転軸を有し、該右回転構造は、該第１回転軸を軸回転可能に接続する第３軸ソケットを有する請求項１４記載のコイン分配保存装置。
【請求項１６】
前記外枠に定位嵌合溝を開設し、該左回転構造は、該定位嵌合溝と相互に嵌合する定位柱を成型する請求項１４記載のコイン分配保存装置。
【請求項１７】
前記左回転構造は、該コイン収集筒の外側にコイン返却溝路を設ける請求項１３記載のコイン分配保存装置。
【請求項１８】
更に、該コイン分流本体底部に実装され、且つ該左回転構造に対応して配置され、該左回転構造を押し上げた後、旋出する動作を行うことに用いる押し上げ取り出し機構を含む請求項１３記載のコイン分配保存装置。
【請求項１９】
該左回転構造は、第１係止ロッドを有し、該押し上げ取り出し機構は、レバーと、該コイン分流本体に軸回転可能に接続し、且つ該レバーに固定される軸桿と、該軸桿に固定接続され、且つ該第１係止ロッドに対応して押し上げを行う前上昇凸輪と、該軸桿外部に套接され、且つ該レバー及び該コイン分流本体に弾性係止接続するねじりばねと、を含む請求項１８記載のコイン分配保存装置。
【請求項２０】
更に、該コイン分流本体底部に実装され、且つ該左回転構造及び該右回転構造に対応して配置され、該左回転構造及び該右回転構造を押し上げた後、旋出の動作を行うことに用いる押し上げ取り出し機構を含む請求項１３記載のコイン分配保存装置。
【考案の詳細な説明】
【技術分野】
【０００１】
本考案は、コイン分配保存装置に関し、左回転構造及び右回転構造の分解設置を利用したコイン分配保存装置に関する。
【背景技術】
【０００２】
現在市場には、既に多種類のコイン分配保存装置があり、その内部には、複数のコイン収集筒を設け、各コイン収集筒の寸法（直径）が異なる額面のコインの直径に対応して形成され、これにより、異なる額面のコインを保存することができる。例えば、ＭＲＴ駅又は電車の駅で使用するコイン投入式の券売機又は飲料販売機中、この種のコイン分配保存装置を設置している。操作人員が定期的にコイン分配保存装置を開け、空のコイン収集筒でほぼコインがいっぱいになったコイン収集筒に置き換え、このように、券売機、両替機又は飲料販売機の正常操作を維持することができる。
【０００３】
従来のコイン保存装置は、図１において、その構造がソケット(殻体)１００ａと、コイン保存体１０６ａと、前支持構造１３２ａと、後支持構造１３４ａと、を含む。複数のコイン収集筒（図中では６個である）それぞれ前支持構造１３２ａ及び後支持構造１３４ａ中に置かれ、前支持構造１３２ａ及び後支持構造１３４ａを含有するコイン保存体１０６ａは、回転アームヒンジ１２４ａを介して、ソケット１００ａに軸回転的に接続する。図１に示すように、コイン保存装置１０６ａは、外向きに軸回転し、ソケット１００ａから離脱し、且つ前支持構造１３２ａ及び後支持構造１３４ａは、更に回転軸１２６ａを介して相互に分解する。また、前支持構造１３２ａ及び後支持構造１３４ａの間にコイン返却経路１３６ａを境界付けし、コイン分配保存装置が返却コインを通過させ、ソケットから離脱させることができる。
【０００４】
しかしながら、この種のコイン分配保存装置は、実際の使用上に以下の欠点をする：コイン保存体中に複数のコイン収集筒を含み、これらのコイン収集筒は、ほぼコインがいっぱいになる時、その重量が非常に大きくなるので、回転アームヒンジ１２４ａ及び回転軸１２６ａに対して大きな応力を発生する。操作人員がコイン保存体１０６ａを引き開けるのに労力を費やす必要があるだけでなく、長期使用後、回転アームヒンジ１２４ａ及び回転軸１２６ａの変形を引き起こし、損傷を受け、コイン分配保存装置の正常動作及び使用寿命に影響を及ぼす。
【先行技術文献】
【特許文献】
【０００５】
【特許文献１】特開２００４−１３３７７６号公報
【考案の概要】
【考案が解決しようとする課題】
【０００６】
本考案の目的は、コイン収集筒を異なる回転構造受けに分散し、操作上に省力であり、且つ各回転構造の受ける力を分散することができ、圧力による損壊及び変形の発生を低減するコイン分配保存装置を提供することにある。
【課題を解決するための手段】
【０００７】
上記の目的を達成するため、本考案が提供するコイン分配保存装置は、コイン分流本体と、複数のコイン収集筒と、左回転構造と、軸回転折畳板と、右回転構造とを含むものである。該コイン収集筒は、それぞれ前記コインを収容させることに用いる。該左回転構造は、該コイン分流本体の一側に軸回転可能に設けられ、該左回転構造は、該コイン収集筒中の一部分を置かせる。該軸回転折畳板は、該コイン分流本体の他側に軸回転可能に設けられる。該右回転構造は、該軸回転折畳板に接続し、該右回転構造は、該コイン収集筒中のその他の部分を置かせる。そのうち、該左回転構造と該右回転構造は、該コイン分流本体内部に軸回転可能に収納されるか、該コイン分流本体外部に回転して出ることができる。
【０００８】
また、上記の目的を達成するため、本考案が提供するコイン分配保存装置は、コイン分流本体と、複数のコイン収集筒と、左回転構造と、右回転構造とを含むものである。該コイン収集筒は、前記コインを収容させることに用いる。該左回転構造は、該コイン分流本体の一側に軸回転可能に設けられ、該左回転構造は、該コイン収集筒中の一部分を置かせる。該右回転構造は、該コイン分流本体の一側に軸回転可能に設けられる。該右回転構造は、該コイン収集筒中のその他の部分を置かせる。そのうち、該左回転構造と該右回転構造は、該コイン分流本体内部に軸回転可能に収納されるか、該コイン分流本体外部に回転して出ることができる。
【考案の効果】
【０００９】
本考案のコイン分配保存装置によれば、従来技術と比較し、コイン収集筒は、それぞれ左回転構造及び右回転構造上に置かれるので、コイン収集筒にコインがいっぱいになっても、各回転構造及び回転軸の受ける力を分散でき、このコイン分配保存装置の回転構造および回転軸は、損傷を受け難く、その使用寿命を延長できる。同時に、操作人員の操作も比較的省力できる。軸回転折畳板及び右回転構造の結合によって、全体の体積を大幅に縮小することができる。
【図面の簡単な説明】
【００１０】
【図１】従来のコイン保存装置の俯瞰図である。
【図２】本考案の立体分解図である。
【図３】本考案の組み合わせ説明図である。
【図４】図３の４−４断面図である。
【図５】本考案の押し上げ取り出し機構及びコイン分配器の立体分解図である。
【図６】本考案の押し上げ取り出し機構がコイン分配器を組み込む局部拡大図である。
【図７】本考案の押し上げ取り出し機構の動作説明図１である。
【図８】本考案の押し上げ取り出し機構の動作説明図２である。
【図９】本考案の左回転構造の外向き回転の動作説明図である。
【図１０】本考案の右回転構造の外向き回転の動作説明図である。
【図１１】本考案の左右回転構造が回転して出た後の立体外観図である。
【考案を実施するための形態】
【００１１】
本考案の詳細な説明及び技術的内容について、図面に併せて以下に説明するが、図面は説明のためであって、本考案を制限するものではない。また、図形の簡潔を求める為、図形中には、本考案構造の特徴を代表するのではない部材は、部材の符号を標記しない。
【００１２】
図２〜図４に示すように、本考案が提供するコイン分配保存装置の実施例は、コイン分流本体１０と、６個のコイン収集筒２０と、左回転構造３０と、軸回転折畳板４０と、右回転構造５０とから構成されている。
【００１３】
コイン分流本体１０は、外枠１１及びコイン分配器１５を含み、外枠１１は、複数の囲い板１１０が囲うように組み合わさってなり、矩形状を呈し、左側の囲い板１１０内壁にそれぞれ２つの第１軸ソケット１１１を設け、右側の囲い板１１０内壁は、それぞれ２つの第１回転軸１１２を接続する。また、右側の囲い板１１０中段及び底段にそれぞれ２つの定位嵌合溝１１３を設ける。右側の囲い板１１０底段箇所にＶ型のガイド溝１１４を設け、弾性片１１５を形成し（図３参照）、弾性片１１５下方のガイド溝１１４内に係止凸点１１６(図７参照)を凸伸する。
【００１４】
コイン分配器１５は、外枠１１内部に実装され、且つ内枠１５０と、内枠１５０上方に固定され、コインを投入させる漏斗口１５１と、投入したコインに対して分流を行うコイン分配モジュール１５２と、分配コインモジュール１５２下方に形成する収容空間１５３と、を含む。内枠１５０底部両側にそれぞれ横向きの軸孔１５４を設け、軸孔１５４前、後側の内枠１５０上に切り口１５５及び通孔１５６を設ける（図５参照）。内枠１５０底部正面に内嵌合溝１５７を成型する。更に、内枠１５０の切り口１５５近隣の位置に貫通孔１５８を設ける。
【００１５】
各コイン収集筒２０は、中空円柱状を呈し、その内部は、大量のコインを収容堆積させることができ、各コイン収集筒２０の寸法は、異なる額面のコイン直径に対応して形成される。複数の異なる寸法のコイン収集筒２０により、異なる額面のコインを保存することができる。
【００１６】
左回転構造３０上に２つの第２回転軸３１を接続し、第２回転軸３１を前記外枠１１左側の各第１軸ソケット１１１上に軸回転可能に接続され、左回転構造３０上に複数の細長形溝３２を設け（本実施例では４個である）、各細長形溝３２の輪郭は、半円状を呈し、それぞれコイン収集筒２０を細長形溝３２中に着脱可能に収容固定させることに用いる。
本実施例中、左回転構造３０をオフとする時、右回転構造５０の外側に配置されるので、このように、返却するコインを容易にコイン分流本体１０外部まで通過させ、且つ左回転構造３０及び右回転構造５０のオン及びオフを妨害しない。当然、コイン返却溝路３３の設計は、左回転構造３０内に制限されるものではなく、実際の要求に基づき、変換することができる。また、左回転構造３０の第２回転軸３１から離脱する一端に２つの定位柱３４を凸伸し、定位柱３４は、前記定位嵌合溝１１３に対応して嵌合定位する。更に、左回転構造３０の下方の左右両側にそれぞれ第１係止ロッド３５を凸伸し、この第１係止ロッド３５は、前記内枠１５０の切り口１５５に対応する位置に設ける。
【００１７】
軸回転折畳板４０の前側に２つの第３回転軸４１を設け、後側には、２つの半円形第２軸ソケット４２を成型し、２つの第２軸ソケット４２は、前記外枠１１右側の第１回転軸１１２上に軸回転可能に設けられる。軸回転折畳板４０の第２軸ソケット４２下方に第２係止ロッド４３を接続し、この第２係止ロッド４３は、前記内枠１５０の通孔１５６に対応する位置に貫通設置される。
【００１８】
右回転構造５０の軸回転折畳板４０近隣の一側に２つの第３軸ソケット５１を成型し、この２つの第３軸ソケット５１が前記第３回転軸４１を貫通設置し、軸回転可能に接続させ、軸回転折畳板４０に、右回転構造５０を連動し、前記収容空間１５３内に収容する時、軸回転折畳板４０に対して９０度軸回転し、外枠１１の後側内壁に平らに貼られることができる（図４参照）。右回転構造５０上に複数の細長形溝５２を設け（本実施例では２個である）、各細長形溝５２の輪郭は、半円状を呈し、それぞれコイン収集筒２０を細長形溝５２中に着脱可能に収容固定させることに用いる。
【００１９】
図５、図６に示すように、本考案のコイン分配保存装置は、更に、押し上げ取り出し機構６０を含み、それは、レバー６１と、１対の軸桿６２と、１対の前上昇凸輪６３と、１対のねじりばね６４と、を含み、そのうち、レバー６１は、扁形ロッド状を呈し、前記内嵌合溝１５７内部に収容される。軸桿６２は、それぞれ前記貫通孔１５８にそれぞれ貫通し軸回転可能に接続された後、レバー６１の左右両端に固定され、レバー６１を内枠１５０に対して回転振動させることができる。各前上昇凸輪６３は、それぞれ軸桿６２のレバー６１から離脱する一端に固定接続される。ねじりばね６４は、軸桿６２外部に套接され、且つその両端は、それぞれ内枠１５０及びレバー６１上に弾性的に係止して貼られ、レバー６１をねじりばね６４の弾性作用力により復帰させることができる（図７参照）。
【００２０】
前上昇凸輪６３は、前記左回転構造３０の第１係止ロッド３５に照準する位置に合わせて設けられ、レバー６１の回転を利用し、各前上昇凸輪６３を連動し、第１係止ロッド３５を駆使し、上昇動作を行い、左回転構造３０の定位柱３４を外枠１１の定位嵌合溝１１３中から脱離させる。また、本実施例の押し上げ取り出し機構６０が更に連動アーム６５及び後上昇凸輪６６を含み、連動アーム６５は、回転軸を介して右側の前上昇凸輪６３上に軸回転可能に接合し、後上昇凸輪６６は、もう１つの回転軸を介して前記内枠１５０の軸孔１５４内および連動アーム６５上に軸回転可能に接続し、内枠１５０の通孔１５６及び前記軸回転折畳板４０の第２係止ロッド４３に対応する位置に合わせて設けられる。レバー６１及び前上昇凸輪６３の回転を利用し、後上昇凸輪６６を連動し、第２係止ロッド４３を駆使し、上昇動作を行う。更に、本実施例の連動アーム６５は、更に凸軸６５１に接続し、この凸軸６５１は、前記外枠１１のガイド溝１１４内に収容され（図７参照）、弾性片１１５の変形及び係止凸点１１６の凸軸６５１に対する障害作用により係止定位効果を形成する。
【００２１】
図７〜図１１に示すように、操作人員は、コイン分配保存装置を開ける時、先ず、指でレバー６１をはじき、作用力を加え、レバー６１に軸桿６２(図２参照)を回転の中心として振動させることができ、各前上昇凸輪６３を連動し、上向きに回転し、この時、前上昇凸輪６３は、前記の第１係止ロッド３５を押し動かし、上向きに起こし、左回転構造３０の定位柱３４を外枠１１の定位溝１１３に沿って移動して出る（図３参照）。続いて、左回転構造３０の右側は、外枠１１から受ける制限から脱離し、その第２回転軸３１を回転軸の中心とし、内枠１５０の収容空間１５３中から回転して出る（図３、図９、図１１参照）。同様に、更に、連動アーム６５及び後上昇凸輪６６の結合によって、前記後上昇凸輪６６を連動でき、前記の第２係止ロッド４３を押し動かし、上向きに上昇し、軸回転折畳板４０及び右回転構造５０を上昇させ、内枠１５０の制限から脱離し、且つこの右回転構造５０は、同時に軸回転折畳板４０及び外枠１１に相対して軸回転を行い、内枠１５０の収容空間１５３中から回転移動して出る（図１０参照）。
【００２２】
更に、外枠１１の囲い板１１０にガイド溝１１４、弾性片１１５及び係止凸点１１６を開設し、且つ連動アーム６５の移動経路は、その凸軸６５１がガイド溝１１４内に制限を受ける。従って、図８に示すように、レバー６１が低点位置に振動する時、凸軸６５１が係止凸点１１６の障害を受け定位効果を形成することができる。このように、各コイン収集筒２０を左回転構造３０及び右回転構造５０中から容易に取り出すことができる。反対に、各コイン収集筒２０を順に左回転構造３０及び右回転構造５０を組み込んだ後、右回転構造５０を収容空間１５３に押し入れた後、レバー６１を軽く押し、弾性片１１５の弾性変形により凸軸６５１を係止凸点１１６に通過させ、ガイド溝１１４に沿って変位復帰させ、同時に左回転構造３０及び右回転構造５０を外枠１１又は内枠１５０により再度制限され定位する。
【００２３】
また、本考案は、もう１つの実施例を有し、その構造は、前記実施例と同一であり、重複して記載することを避けるため、異なる箇所だけ説明し、それは、右回転構造５０の第３軸ソケット５１が前記外枠１１右側の第一回転軸１１２上に直接嵌合し、軸回転可能に接続し（図示せず）、この時、右回転構造５０は、直接、外枠１１に相対して旋出又は旋入の動作を行うものである。即ち、一部の機種のコイン分配装置に応じて、前記設計の配置を行うことができる。このように、前記実施例の効果も有する。
【符号の説明】
【００２４】
＜従来技術＞
１００ａ  ソケット
１０６ａ  コイン保存体
１２４ａ  回転アームヒンジ
１２６ａ  回転軸
１３２ａ  前支持構造
１３４ａ  後支持構造
１３６ａ  コイン返却経路
＜本考案＞
１０  コイン分流本体
１１  外枠
１１０  囲い板
１１１  第１軸ソケット
１１２  第１回転軸
１１３  定位(固定)嵌合溝
１１４  ガイド溝
１１５  弾性片
１１６  係止凸点
１５  コイン分配器
１５０  内枠
１５１  漏斗口
１５２  コイン分配モジュール
１５３  収容空間
１５４  軸孔
１５５  切り口
１５６  通孔
１５７  内嵌合溝
１５８  貫通孔
２０  コイン収集筒
３０  左回転構造
３１  第２回転軸
３２  細長形溝
３３  コイン返却溝路
３４  定位柱
３５  第１係止ロッド
４０  軸回転折畳板
４１  第３回転軸
４２  第２軸ソケット
４３  第２係止ロッド
５０  右回転構造
５１  第３軸ソケット
５２  細長形溝
６０  押し上げ取り出し機構
６１  レバー
６２  軸桿
６３  前上昇凸輪
６４  ねじりばね
６５  連動アーム
６５１  凸軸
６６  後上昇凸輪
【図１】
0003154913.tif 000003
【図２】
0003154913.tif 000004
【図３】
0003154913.tif 000005
【図４】
0003154913.tif 000006
【図５】
0003154913.tif 000007
【図６】
0003154913.tif 000008
【図７】
0003154913.tif 000009
【図８】
0003154913.tif 000010
【図９】
0003154913.tif 000011
【図１０】
0003154913.tif 000012
【図１１】
0003154913.tif 000013